(57)【要約】【課題】回転ツマミを回転するときに、がたつきや面ブレが生ぜず、こすれ音も少なくするようにした回転ツマミ取付構造を提供する。【解決手段】回転ツマミ取付構造は、回転軸１２を回転する回転ツマミ取付構造であって、回転ツマミ１０のパネル１１に対向する側に環状突出部１０ｇを設け、パネル１１と環状突出部１０ｇの間に弾性部材１９と摺動性部材２０を備えた環状スペーサ１４を挟み込み、環状スペーサ１４と環状突出部１０ｇを接触させた状態で、回転ツマミ１０の嵌合部１０ｇを回転軸１２に嵌合させて回転ツマミ１０をパネル１１に回転自在に取り付けた。【選択図】図３
2010257711.tif 000002
【特許請求の範囲】
【請求項１】
回転軸を回転する回転ツマミ取付構造であって、
前記回転ツマミのパネルに対向する側に環状突出部を設け、
前記パネルと前記環状突出部の間に弾性部材と摺動性部材を備えた環状スペーサを挟み込み、
前記環状スペーサと前記環状突出部を接触させた状態で、前記回転ツマミの嵌合部を前記回転軸に嵌合させて前記回転ツマミを前記パネルに回転自在に取り付けたことを特徴とする回転ツマミ取付構造。
【請求項２】
前記摺動性部材は、ポリテトラフルオロエチレンからなるシートであることを特徴とする請求項１記載の回転ツマミ取付構造。
【請求項３】
前記環状突出部の前記環状スペーサと対向する端部には、前記環状スペーサに向かった方向に突起する突起部を設けていることを特徴とする請求項１または２に記載の回転ツマミ取付構造。
【発明の詳細な説明】
【技術分野】
【０００１】
本発明は回転ツマミ取付構造に関し、例えば、オーディオ装置、ビデオ装置等の電子機器の前面パネル等に設けるために好適な回転ツマミ取付構造に関するものである。
【背景技術】
【０００２】
従来、回転ツマミ取付構造としては、特許文献１に開示されるものがあった。特許文献１において、回転ツマミ取付構造は、回動操作部であるツマミ体（回転ツマミ）と、このツマミ体と一体的に連結して回動するシャフトと、弾性材料からなる介在弾性部材と、ケース体と、を備えている。
【０００３】
介在弾性部材は、ツマミ体とケース体との間に配置され、シャフトの中心軸の略直角方向にケース体の円筒形状に突出した部位の内周と接触するオーバーラップ部があり、ここで摩擦を生じるようになっている。ツマミ体は、この摩擦によって適切な回動トルク調整設定されることとなり、ケース体に対して安定した回動をすることが可能となっている。
【０００４】
しかしながら、この場合、介在弾性部材とケース体の円筒形状に突出した部位の内周とは隙間なく接触しているが、介在弾性部材とケース体の円筒形状に突出した部位の底面とは、接触しておらず、隙間を有している。そのためその隙間方向でのがたつきが生じる可能性があるという問題がある。また、オーバーラップ部で摩擦を生じるようにしているため、ツマミ体を回転するときに、こすれ音等が生じる可能性があるという問題がある。
【０００５】
そこで、上記のようながたつきが生じないように、回転ツマミをシャフトにネジ止めすることが考えられる（例えば、特許文献２参照）。また、上記のようなこすれ音等が生じないように、回転ツマミとケース体とのこすれる部分にグリースを塗布することが考えられる（例えば、特許文献３参照）。
【先行技術文献】
【特許文献】
【０００６】
【特許文献１】特開２００４−３４９５８０公報
【特許文献２】特開２００３−２０３５４２公報
【特許文献３】特開平１１−３４５７０６号公報
【発明の概要】
【発明が解決しようとする課題】
【０００７】
しかしながら、回転ツマミのがたつきが生じないように、回転ツマミをシャフトにネジ止めする場合、回転ツマミにネジ穴を設ける工程が必要になり、また、ネジと金属シャフトが必要となるためコストの面で問題がある。さらに、回転ツマミをシャフトにネジ止めする場合、加工精度の問題でプラスチック等の安価なものを用いることはできず、高価なアルミニウム等の削りだしのものを用いる必要がある。また、オーディオ機器では、雑音を抑える必要があり、回転ツマミからのこすれ音等は、生じないようにしなければならない。こすれ音等が生じないように、回転ツマミとケース体とのこすれる部分にグリースを塗布する場合、グリースが必要となるため、コストの面で問題がある。
【０００８】
本発明は、上述した事情に鑑みてなされたものであり、上述のような問題を解決することを課題の一例とするものであり、これらの課題を解決することができる回転ツマミ取付構造を提供することを目的とする。
【課題を解決するための手段】
【０００９】
本発明に係る回転ツマミ取付構造は、上記の目的を達成するため、次のように構成される。
請求項１記載の発明に係る回転ツマミ取付構造は、回転軸を回転する回転ツマミ取付構造であって、回転ツマミのパネルに対向する側に環状突出部を設け、パネルと環状突出部の間に弾性部材と摺動性部材を備えた環状スペーサを挟み込み、環状スペーサと環状突出部を接触させた状態で、回転ツマミの嵌合部を回転軸に嵌合させて回転ツマミをパネルに回転自在に取り付けたことを特徴とする。
【図面の簡単な説明】
【００１０】
【図１】本発明の本実施形態に係る回転ツマミ取付構造を示す表側からの分解斜視図である。
【図２】本発明の本実施形態に係る回転ツマミ取付構造を示す裏側からの分解斜視図である。
【図３】本発明の本実施形態に係る回転ツマミ取付構造を示す断面図である。
【図４】スペーサの（ａ）正面図と（ｂ）Ｂ−Ｂ断面の拡大図である。
【図５】図３の部分Ａの拡大図である。
【図６】本発明の本実施形態に係る回転ツマミ取付構造での作用を説明する図である。
【発明を実施するための形態】
【００１１】
以下に、本発明の好適な実施形態を添付図面に基づいて説明する。
【００１２】
図１〜図５は、本発明の本実施形態に係る回転ツマミ取付構造を示すものであり、図１は、回転ツマミ取付構造の表側からの分解斜視図であり、図２は、同裏側からの同分解斜視図であり、図３は、同断面図であり、図４は、スペーサを示す図であり、図５は、図３の部分Ａの拡大図である。
【００１３】
図１〜図３において、符号１０は、映像音響機器装置の前面のパネル１１から露出するように配置され、回転軸１２を回転する回転ツマミである。この回転ツマミ１０は、外側部材１０ｂと内側部材１０ｈからなっている。外側部材１０ｂは、アルミニウム等の金属からなる円筒の開端部につば部１０ａを備えている。内側部材１０ｈは、ＡＢＳ樹脂等の樹脂からなる円筒１０ｃの中心位置に円筒状の嵌合部１０ｄを備えている。嵌合部１０ｄの内側は、円筒の軸を含む平面を境界として半分が樹脂で埋まっている。また、内側部材１０ｈは、嵌合部１０ｄを安定に固定する壁部１０ｅと円筒１０ｃの開端部に設けられたつば部１０ｆを備えている。さらに、内側部材１０ｈには、パネル１１に対向する側に環状のリブ（環状突出部）１０ｇが設けられている。内側部材１０ｈに樹脂を用い、外側部材１０ｂにアルミニウム等を用いることにより、安価で高級感を持たせた回転ツマミ１０を形成することができる。
【００１４】
回転ツマミ１０は、パネル１１とリブ１０ｇの間に環状のスペーサ１４を挟み込み、スペーサ１４とリブ１０ｇを接触させた状態でプリント基板１５に固定されたロータリエンコーダ等の電子部品１６の半円柱状の回転軸１２に嵌合部１０ｄによって嵌合し、パネル１１に回転自在に取り付けられている。また、パネル１１側には、スペーサ１４を固定するための突出部１８が設けられている。環状のリブ１０ｇの直径は、環状のスペーサ１４の外周の直径より小さく、環状のスペーサ１４の内周の直径よりも大きく形成されている。それにより、環状のリブ１０ｇが環状のスペーサ１４に接触した配置をとることができる。回転ツマミ１０は、内側部材１０ｈをＡＢＳ樹脂で形成し、外側部材１０ｂをアルミニウム等で形成した構造であるが、樹脂で一体で形成しても良い。このとき、より安価に回転ツマミを作製することができる。
【００１５】
図４は、スペーサ１４の正面図（ａ）とＢ−Ｂ断面の拡大図（ｂ）である。スペーサ１４は、図４で示すように弾性部材１９と摺動性部材２０が両面テープ２１により接着された構造を有し、弾性部材１９の摺動性部材２０とは反対側の面を両面テープ２２によってパネル１１に接着している。弾性部材１９は、例えば、高密度マイクロセルウレタンフォーム等からなる硬度２５°〜４８°の厚さ０．８ｍｍ程度のものであり、摺動性部材２０は、例えば、ポリテトラフルオロエチレン等のフッ化炭素樹脂からなる厚さ０．１８ｍｍ程度のものである。また、両面テープ２１，２２は、例えば、厚さ０．１５ｍｍ程度のものを用い、スペーサの全体の厚さは、例えば、１．２８ｍｍ程度のものを用いる。摺動性部材２０によって、リブ１０ｇがすべり易くなり、こすれ音を抑えることができる。
【００１６】
図５は、図３で示した符号Ａの部分の拡大図であり、リブ１０ｇのスペーサ１４との接触部分の拡大図である。リブ１０ｇの先端には環状のリブ１０ｇに沿って、スペーサ１４に向かった方向に突起する突起部２３を設けている。それにより、リブ１０ｇのスペーサ１４との接触は、突起部２３の先端部のみであるので、リブ１０ｇとスペーサ１４との接触面積を小さくすることができる。なお、図５では、突起部２３の断面形状を半円形状にして示しているが、それに限らず、突起部２３の断面形状をＶ字形状にしてもよい。また、図５では、スペーサ１４が弾性部材１９を備えているため、突起部２３によって、摺動性部材２０を介してスペーサ１４に凹み２４が生じていることが示されている。この突起部２３とスペーサ１４に生じた凹み２４によって回転ツマミの回転時の安定性が増加する。さらに、突起部２３の表面を鏡面に近くすることにより、こすれ音をより抑えることができる。また、突起部２３の表面に速乾性グリスを塗布しても同様の効果が認められる。
【００１７】
上記構成において、プリント基板１５に電子部品１６や前面のパネル１１が固定されている状態で、回転ツマミ１０を取り付ける際には、スペーサ１４をパネル１１に取り付け、回転ツマミの嵌合部１０ｄを回転軸１２に嵌合する。
【００１８】
上記の本実施形態に係る回転ツマミ取付構造では、回転ツマミ１０のリブ１０ｇとパネル１１の間にスペーサ１４を設け、突起部２３が、弾性部材１９と摺動性部材２０からなるスペーサ１４の表面に凹み２４を作り、リブ１０ｇとパネル１１との隙間がスペーサ１４で埋められるので、がたつきや面ブレがなくなる。また、回転ツマミ１０の回転力が回転軸１２に伝達され、回転軸１２を回転させるが、そのとき、スペーサ１４のリブ１０ｇとの接触部に摺動性部材２０を設けているため、リブ１０ｇとの摩擦音を抑えることができる。
【００１９】
次に、本発明の本実施形態に係る回転ツマミ取付構造の作用を説明する。
【００２０】
図６は、本実施形態に係る回転ツマミ１０を回転するときの様子を示す図である。図６（ａ）は、回転ツマミ１０を正面から見た図である。回転ツマミ１０を手を用いて回転するとき、回転ツマミ１０の符号３０で示した部分と符号３１で示した部分に、手の指がかかり、手をひねることにより、矢印３２で示した力Ｆ３と、矢印３３で示した力Ｆ４が働く。それにより、回転ツマミ１０に力のモーメントが働き、回転ツマミ１０が回転しその回転力が回転軸１２に伝達し、回転軸１２が回転する。
【００２１】
このとき、符号３０で示した部分に働く力Ｆ３と符号３１で示した部分に働く力Ｆ４が同じ大きさならば、回転ツマミ１０は、回転する作用だけを受けるが、手のひねり具合では、符号３０で示した部分に働く力Ｆ３と符号３１で示した部分に働く力Ｆ４が同じでない場合が生じる。そのとき、図６（ｂ）に示すように、回転ツマミ１０には、回転させる力のモーメント以外に、回転ツマミ１０を回転軸１２に対して傾かせる力（Ｆ４−Ｆ３：矢印３４）が働くことになる。本実施形態では、そのとき、リブ１０ｇがスペーサ１４に接触しているため、リブ１０ｇは、スペーサ１４から矢印３５で示す力Ｆ５を受け（図６（ｃ））、回転ツマミ１０を傾けようとする力（Ｆ４−Ｆ３）によるモーメントと釣り合い、回転ツマミ１０は傾かず、それによって、がたつきや面ブレをなくすことができる。また、回転ツマミ１０が回転するとき、スペーサ１４に摺動性部材２０がリブ１０ｇとの接触面にあるため、こすれ音を抑えることができる。
【００２２】
以上のように、本実施形態では、回転ツマミ１０を回転するときに、リブ１０ｇとパネル１１との間にスペーサ１４を設けているので、回転ツマミ１０が傾くことなく、がたつきや面ブレを生じることを防ぐことができる。また、スペーサ１４が摺動性部材２０を備えているので、リブ１０ｇとのこすれ音を抑えることができる。さらに、回転ツマミ１０のがたつきや面ブレを生じることを防ぐことができるので、スピーカ装置から放射された音響の音圧による振動を抑制し、筐体内の電子部品への影響を減少させることができる。それにより、音質向上によるオーディオ装置等の電子機器としての感性品質も向上できる。
【００２３】
なお、本実施形態では、スペーサ１４に弾性部材１９と摺動性部材２０を備えたものを用いたが、スペーサ１４に表面が滑らかな弾性部材だけを用いるようにしてもよい。
また、スペーサ１４に弾性部材を用い、リブ１０ｇの先端部に摺動性部材を備えるようにしても良い。
【００２４】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【符号の説明】
【００２５】
１０      回転ツマミ
１０ｄ    嵌合部
１０ｇ    リブ（環状突出部）
１１      パネル
１２      回転軸
１４      スペーサ
１５      プリント基板
１６      電子部品
１８      突出部
１９      弾性部材
２０      摺動性部材
２１      両面テープ
２２      両面テープ
２３      突起部
【図１】
2010257711.tif 000003
【図２】
2010257711.tif 000004
【図３】
2010257711.tif 000005
【図４】
2010257711.tif 000006
【図５】
2010257711.tif 000007
【図６】
2010257711.tif 000008